(57)【要約】【課題】レンズ枠に対するレンズブロックの位置ズレに対応可能であり、レンズ枠に対するレンズブロックの位置関係に対応して光コネクタを接続、固定できる光コネクタとレンズブロックの接続構造及びそれを備えた光モジュールを提供する。【解決手段】レンズブロック６にＭＴフェルール７を装着した後、光コネクタ枠１０の両側リブ１０ａをレンズ枠５の両側リブ５ａに係合することで、弾性部材１４でＭＴフェルール７をレンズブロック６側に押し付けてレンズブロック６とＭＴフェルール７とを固定するようにされ、レンズ枠５の両側リブ５ａと光コネクタ枠１０の両側リブ１０ａとを、係合方向に沿って形成された２箇所の係合部１２，１３で係合するようにしたものである。【選択図】図６
2011123429.tif 000002
【特許請求の範囲】
【請求項１】
基板と、
前記基板に搭載され、前記基板に垂直な光路を有する光素子と、
前記光素子を囲むように前記基板に固定される、２つの側リブと、それら両側リブの一端部同士を接続する前リブとからなるレンズ枠と、
前記光素子と光軸を一致させた状態で前記レンズ枠の両側リブ間に接着固定される、前記光素子の光路を前記基板と平行な光路に変換するレンズブロックと、
前記基板と平行に配置される、前記光ファイバケーブルの先端部に設けられた光コネクタと、
前記レンズ枠の側リブに係合される２つの側リブと、該２つの側リブの他端部同士を接続する後リブとからなる光コネクタ枠とからなり、
前記光コネクタ枠の前記後リブと前記光コネクタ間に弾性部材を配設し、
前記レンズブロックに前記光コネクタを装着した後、前記光コネクタ枠の両側リブを前記レンズ枠の両側リブに係合することで、前記弾性部材で前記光コネクタを前記レンズブロック側に押し付けて前記レンズブロックと前記光コネクタとを固定し、
前記レンズ枠の両側リブと前記光コネクタ枠の両側リブとを、係合方向に沿って形成された２箇所の係合部で係合する、
光コネクタとレンズブロックの接続構造。
【請求項２】
前記２箇所の係合部は、
前記光コネクタ枠の両側リブの一端部からその内側に向かって突出する第１突起部と、前記レンズ枠の両側リブに形成され、前記第１突起部を係合する係合孔とからなる第１係合部と、
前記光コネクタ枠の両側リブの前記第１突起部よりも他端部側でその内側に向かって突出する第２突起部と、前記レンズ枠の両側リブの他端部に係合方向に沿って形成され、前記第２突起部をスライド自在に収容する切欠き状のガイド溝とからなる第２係合部とからなり、
前記第１係合部にて、前記レンズ枠に対する前記光コネクタ枠の係合方向の動きを規制し、前記第２係合部にて、前記レンズ枠に対する前記光コネクタ枠の上下方向の動きを規制する請求項１記載の光コネクタとレンズブロックの接続構造。
【請求項３】
前記光コネクタ枠の後リブには、前記光ファイバケーブルを通すための切欠きが形成される請求項２記載の光コネクタとレンズブロックの接続構造。
【請求項４】
前記弾性部材がコイルばねからなり、該コイルばねの中空部に前記光ファイバケーブルを通す請求項３に記載の光コネクタとレンズブロックの接続構造。
【請求項５】
前記光コネクタ枠の後リブの両側部には、該後リブの両側部から後方に突出する２つの取手部が形成され、該両取手部を内側に押し込むことにより、前記光コネクタ枠の両側リブを外側に拡げて、前記レンズ枠と前記光コネクタ枠の係合を解除するようにした請求項４に記載の光コネクタとレンズブロックの接続構造。
【請求項６】
請求項１〜５いずれかに記載の光コネクタとレンズブロックの接続構造を備えた光モジュール。
【発明の詳細な説明】
【技術分野】
【０００１】
本発明は、基板に搭載された光素子と光ファイバケーブルとを光学的に接続するための、光素子と光学的に接続されたレンズブロックと、光ファイバケーブルの端部に設けられた光コネクタとを接続する光コネクタとレンズブロックの接続構造、及びそれを備えた光モジュールに関するものである。
【背景技術】
【０００２】
従来、光トランシーバなどの機器において、面発光素子や面受光素子をアレイ状に配置した光素子アレイ（例えば、ＶＣＳＥＬ（Ｖｅｒｔｉｃａｌ  Ｃａｖｉｔｙ  Ｓｕｒｆａｃｅ）アレイやＰＤ（Ｐｈｏｔｏ  Ｄｉｏｄｅ）アレイ）が一般に用いられている。
【０００３】
面発光素子や面受光素子を用いた光素子アレイでは、光素子アレイが入出射する光の光路が、光素子アレイを搭載する基板に対して垂直となる。他方、光トランシーバなどの機器では、光素子アレイと光学的に接続される光ファイバケーブルは、一般に、光素子アレイを搭載する基板に対して平行に配置される。
【０００４】
光素子アレイと光ファイバケーブルとを光学的に接続するために、光素子アレイの上方に、光素子アレイが入出射する光路を基板と平行な光路に９０度変換するレンズブロックを配置し、レンズブロックに、光ファイバケーブルの端部に設けたＭＴ（Ｍｅｃｈａｎｉｃａｌｌｙ  Ｔｒａｎｓｆｅｒａｂｌｅ）フェルールを装着、固定することで、光素子アレイと光ファイバケーブルとを、レンズブロックとＭＴフェルールとを介して、光学的に接続する構造が知られている（例えば、特許文献１）。
【先行技術文献】
【特許文献】
【０００５】
【特許文献１】特開２００８−２２４９５４号公報
【特許文献２】特開２００６−１１０９２号公報
【発明の概要】
【発明が解決しようとする課題】
【０００６】
光素子アレイとレンズブロック間での光軸のずれを抑制するためには、光素子アレイが搭載される基板に固定されたレンズ枠に、光素子アレイと光軸を一致させた状態でレンズブロックを接着固定することが望ましい。
【０００７】
レンズ枠に保持されたレンズブロックにＭＴフェルールを固定する構造の場合、ＭＴフェルールの周囲に設けたフェルール支持体をレンズ枠に結合することとなる。レンズ枠に対するフェルール支持体の位置は固定され、かつ、フェルール支持体に対するＭＴフェルールの位置は固定される。その結果、レンズ枠に対するＭＴフェルールの位置が固定されることとなり、レンズ枠に対するレンズブロックの位置関係に対応して、ＭＴフェルールをフレキシブルに移動させることができない。このため、レンズブロックやＭＴフェルールに不要の力が加わり、故障の原因となるおそれがある。
【０００８】
そこで、本発明の目的は、上記課題を解決し、レンズ枠に対するレンズブロックの位置関係に対応して光コネクタを接続、固定できる、光コネクタとレンズブロックの接続構造及びそれを備えた光モジュールを提供することにある。
【課題を解決するための手段】
【０００９】
本発明は上記目的を達成するために創案されたものであり、基板と、前記基板に搭載され、前記基板に垂直な光路を有する光素子と、前記光素子を囲むように前記基板に固定される、２つの側リブと、それら両側リブの一端部同士を接続する前リブとからなるレンズ枠と、前記光素子と光軸を一致させた状態で前記レンズ枠の両側リブ間に接着固定される、前記光素子の光路を前記基板と平行な光路に変換するレンズブロックと、前記基板と平行に配置される、前記光ファイバケーブルの先端部に設けられた光コネクタと、前記レンズ枠の側リブに係合される２つの側リブと、該２つの側リブの他端部同士を接続する後リブとからなる光コネクタ枠とからなり、前記光コネクタ枠の前記後リブと前記光コネクタ間に弾性部材を配設し、前記レンズブロックに前記光コネクタを装着した後、前記光コネクタ枠の両側リブを前記レンズ枠の両側リブに係合することで、前記弾性部材で前記光コネクタを前記レンズブロック側に押し付けて前記レンズブロックと前記光コネクタとを固定し、前記レンズ枠の両側リブと前記光コネクタ枠の両側リブとを、係合方向に沿って形成された２箇所の係合部で係合する、光コネクタとレンズブロックの接続構造である。
【００１０】
前記２箇所の係合部は、前記光コネクタ枠の両側リブの一端部からその内側に向かって突出する第１突起部と、前記レンズ枠の両側リブに形成され、前記第１突起部を係合する係合孔とからなる第１係合部と、前記光コネクタ枠の両側リブの前記第１突起部よりも他端部側でその内側に向かって突出する第２突起部と、前記レンズ枠の両側リブの他端部に係合方向に沿って形成され、前記第２突起部をスライド自在に収容する切欠き状のガイド溝とからなる第２係合部とからなり、前記第１係合部にて、前記レンズ枠に対する前記光コネクタ枠の係合方向の動きを規制し、前記第２係合部にて、前記レンズ枠に対する前記光コネクタ枠の上下方向の動きを規制するようにしてもよい。
【００１１】
前記光コネクタ枠の後リブには、前記光ファイバケーブルを通すための切欠きが形成されるとよい。
【００１２】
前記弾性部材がコイルばねからなり、該コイルばねの中空部に前記光ファイバケーブルを通すようにしてもよい。
【００１３】
前記光コネクタ枠の後リブの両側部には、該後リブの両側部から後方に突出する２つの取手部が形成され、該両取手部を内側に押し込むことにより、前記光コネクタ枠の両側リブを外側に拡げて、前記レンズ枠と前記光コネクタ枠の係合を解除するようにしてもよい。
【００１４】
また、本発明は上記目的を達成するために創案されたものであり、上記の光コネクタとレンズブロックの接続構造を備えた光モジュールである。
【発明の効果】
【００１５】
本発明によればレンズ枠に対するレンズブロックの位置関係に対応して光コネクタを接続、固定できる光コネクタとレンズブロックの接続構造及びそれを備えた光モジュールを提供できる。
【図面の簡単な説明】
【００１６】
【図１】本発明の一実施の形態に係る光コネクタとレンズブロックの接続構造を示す分解斜視図である。
【図２】図１の光コネクタとレンズブロックの接続構造の他の方向から見た分解斜視図である。
【図３】図１の光コネクタとレンズブロックの接続構造の基板を示す斜視図である。
【図４】（ａ），（ｂ）は、図１の光コネクタとレンズブロックの接続構造のレンズ枠を示す斜視図である。
【図５】（ａ），（ｂ）は、図１の光コネクタとレンズブロックの接続構造の光コネクタ枠を示す斜視図である。
【図６】（ａ），（ｂ）は、図１の光コネクタとレンズブロックの接続構造の外観を示す斜視図である。
【図７】図６の光コネクタとレンズブロックの接続構造において、レンズ枠を省略したときの斜視図である。
【図８】図６の光コネクタとレンズブロックの接続構造において、レンズ枠と光コネクタ枠との係合状態を示す断面図である。
【図９】図６の光コネクタとレンズブロックの接続構造の光コネクタ枠において、取手部を内側に押し込むと、両側リブが外側に拡がることを説明するための斜視図である。
【図１０】本発明の一実施の形態に係る光コネクタとレンズブロックの接続構造において、レンズ枠と光コネクタ枠との係合状態を示す断面図である。
【図１１】本発明の一実施の形態に係る光コネクタとレンズブロックの接続構造を示す分解斜視図である。
【発明を実施するための形態】
【００１７】
以下、本発明の好適な実施の形態を添付図面にしたがって説明する。
【００１８】
図１、図２は、本実施の形態に係る光コネクタとレンズブロックの接続構造を示す分解斜視図である。
【００１９】
図１、図２に示すように、光コネクタとレンズブロックの接続構造１は、基板２に搭載された光素子３と光ファイバケーブル４とを光学的に接続すべく、光素子３の上方に配置されると共に、基板２に固定されたレンズ枠５により支持されたレンズブロック６と、光ファイバケーブル４の先端部に設けられた光コネクタとしてのＭＴフェルール７とを固定する構造である。
【００２０】
［光素子、基板］
図１〜図３に示すように、光素子３は、基板２に搭載され、基板２に垂直な光路を有するものである。光素子３は、例えば、面発光素子、あるいは基板２の上方から垂直に光を入射する面受光素子をアレイ状に配置したものであり、ＶＣＳＥＬアレイやＰＤアレイである。ここでは、光素子３として、１２個の面発光素子をアレイ状に配置したＶＣＳＥＬアレイを用いる場合を説明する。
【００２１】
基板２は、例えば、ガラスエポキシ基板などのプリント基板、又はコバールなどの金属からなる。基板２上には、光素子３と、光素子３を駆動するドライバＩＣ８と、レンズブロック６を保持するためのレンズ枠５が搭載される。基板２には、レンズ枠５を位置決めして固定するための４つのレンズ枠固定孔２ａが形成されている。
【００２２】
［レンズ枠］
図１、図２及び図４に示すように、レンズ枠５は、２つの側リブ５ａと、それら両側リブ５ａの一端部（図１では左奥側の端部）同士を接続する前リブ５ｂとを備え、上面視で略コ字状に形成される。レンズ枠５は、１枚の金属板を切断、折曲加工して形成される。
【００２３】
レンズ枠５の両側リブ５ａには、その下端部から下方に突出するように、基板２のレンズ枠固定孔２ａに嵌合される脚部５ｃがそれぞれ２本ずつ形成される。レンズ枠５は、その脚部５ｃを基板２のレンズ枠固定孔２ａに嵌合することで、基板２に対して位置決めされて、固定される。レンズ枠５は、光素子３を囲むように基板２に固定される。
【００２４】
レンズ枠５の両側リブ５ａには、係合孔１２ｂ、ガイド溝１３ｂがそれぞれ形成されている。これら係合孔１２ｂ、ガイド溝１３ｂについては後述する。
【００２５】
［レンズブロック］
図１、図２に示すように、レンズブロック６は、光素子３と、基板２と平行に配置されたＭＴフェルール７とを光学的に接続すべく、光素子３が入出射する光の光路を基板２と平行な光路に９０°変換するためのものである。レンズブロック６は、基板２に配置された光素子３と対向する基板対向面６ａと、基板対向面６ａと垂直なＭＴフェルール接続面６ｂと、基板対向面６ａ及びＭＴフェルール接続面６ｂに対して４５°傾斜した傾斜面６ｃとを備え、略三角柱状に形成される。基板対向面６ａとＭＴフェルール接続面６ｂには、光素子３の各発光素子に対応した１２個のレンズ６ｄが整列して設けられている。
【００２６】
レンズブロック６は、基板対向面６ａに形成された１２個のレンズ（図示せず）と光素子３とが光軸を一致させた状態でレンズ枠５の両側リブ５ａ間に接着固定される。具体的には、レンズブロック６と光素子３の光軸を一致させた後、レンズブロック６とレンズ枠５の両側リブ５ａとの間にＵＶ硬化性樹脂をそれぞれ供給し、紫外線（ＵＶ）を照射してＵＶ硬化性樹脂を硬化させて、レンズブロック６をレンズ枠５に接着固定する。
【００２７】
レンズブロック６のＭＴフェルール接続面６ｂの両側部には、ＭＴフェルール７を位置決めするためのピン９が形成されている。ピン９の基端部には、拡径部９ａが形成されている。拡径部９ａの径は、ＭＴフェルール７の嵌合孔７ｂよりも大きく形成される。さらに、拡径部９ａは、ＭＴフェルール７の先端面７ａがレンズ６ｄに干渉しないよう、ＭＴフェルール７の先端面７ａとレンズブロック６のＭＴフェルール接続面６ｂとを所定の間隔で保持する光軸方向の長さとなっている。
【００２８】
［光ファイバケーブル、光コネクタ］
光ファイバケーブル４は、１２本の光ファイバを束ねたものであり、その端部には、光コネクタとしての、１２芯のＭＴフェルール７が設けられている。なお、本実施の形態では、光コネクタとしてＭＴフェルールを使用する場合を説明するが、光コネクタはＭＴフェルールに限定されない。
【００２９】
ＭＴフェルール７の先端面７ａの両側部には、レンズブロック６のピン９に嵌合する嵌合孔７ｂが形成されている。ＭＴフェルール７は、嵌合孔７ｂをピン９に嵌合させることで、レンズブロック６に対して位置決めがなされ、レンズブロック６に装着される。
【００３０】
レンズブロック６にＭＴフェルール７を装着することで、光素子３と光ファイバケーブル４とが、レンズブロック６、ＭＴフェルール７を介して光学的に接続される。
【００３１】
［光コネクタ枠、弾性部材］
ＭＴフェルール７の周囲には、レンズ枠５に係合し、ＭＴフェルール７をレンズブロック６に装着した状態で固定するための光コネクタ枠１０が設けられる。
【００３２】
図１、図２及び図５に示すように、光コネクタ枠１０は、レンズ枠５の側リブ５ａに係合される２つの側リブ１０ａと、それら側リブ１０ａの他端部（図１では右手前側の端部）同士を接続する後リブ１０ｂとを備え、上面視で略コ字状に形成される。光コネクタ枠１０は、１枚の金属板を切断、折曲加工して形成される。金属板は、バネ性を有する材料、例えば、ＳＵＳからなる。
【００３３】
光コネクタ枠１０の両側リブ１０ａは、レンズ枠５の両側リブ５ａを外側から挟み込むように係合する。また、光コネクタ枠１０の両側リブ１０ａ間の間隔は、ＭＴフェルール７の幅よりも大きくされ、光コネクタ枠１０をレンズ枠５に係合した際に、光コネクタ枠１０の両側リブ１０ａがＭＴフェルール７に接触しないようにされる。
【００３４】
光コネクタ枠１０の両側リブ１０ａには、第１突起部１２ａ、第２突起部１３ａがそれぞれ形成されている。これら第１突起部１２ａ、第２突起部１３ａについては後述する。
【００３５】
光コネクタ枠１０の後リブ１０ｂには、光ファイバケーブル４を通すための切欠き１０ｃが形成される。切欠き１０ｃは、その下方が開口するよう後リブ１０ｂに形成される。
【００３６】
光コネクタ枠１０の後リブ１０ｂの両側部には、後リブ１０ｂの両側部から後方に突出する２つの取手部１０ｄが形成されている。両取手部１０ｄには、穴１０ｅが形成される。この取手部１０ｄは、レンズ枠５とＭＴフェルール１０との係合を解除するために用いられる。詳細は後述する。
【００３７】
また、光コネクタ枠１０の後リブ１０ｂとＭＴフェルール７間には、弾性部材としてのコイルばね１４が配設される。コイルばね１４は、その中空部に光ファイバケーブル４を通すことで、光ファイバケーブル４に支持される。
【００３８】
［光コネクタとレンズブロックの接続構造、係合部］
図６（ａ），（ｂ）は、本実施の形態に係る光コネクタとレンズブロックの接続構造１の外観を示す斜視図であり、図７は、そのレンズ枠と基板を省略した斜視図、図８は、レンズ枠と光コネクタ枠との係合状態を示す断面図である。
【００３９】
図６〜８に示すように、レンズブロック６にＭＴフェルール７を固定する際には、まず、レンズブロック６のピン９とＭＴフェルール７の嵌合孔７ｂとを嵌合させて、レンズブロック６にＭＴフェルール７を装着する。その後、光コネクタ枠１０の両側リブ１０ａをレンズ枠５の両側リブ５ａに係合することで、コイルばね１４でＭＴフェルール７をレンズブロック６側に押し付けてレンズブロック６とＭＴフェルール７とを固定する。
【００４０】
このとき、本実施の形態に係る光コネクタとレンズブロックの接続構造１では、レンズ枠５の両側リブ５ａと光コネクタ枠１０の両側リブ１０ａとが、係合方向に沿って形成された第１係合部１２、第２係合部１３の２箇所の係合部１２，１３で係合される。
【００４１】
第１係合部１２は、光コネクタ枠１０の両側リブ１０ａの一端部からその内側に向かって突出する第１突起部１２ａと、レンズ枠５の両側リブ５ａに形成され、第１突起部１２ａを係合する係合孔１２ｂとからなる。第１突起部１２ａは、光コネクタ枠１０の両側リブ１０ａの一端部を内側に略９０°折り曲げ加工して形成される。第１係合部１２では、レンズ枠５に対する光コネクタ枠１０の係合方向の動きを規制する。
【００４２】
第２係合部１３は、光コネクタ枠１０の両側リブ１０ａの第１突起部１２ａよりも他端部側でその内側に向かって突出する第２突起部１３ａと、レンズ枠５の両側リブ５ａの他端部に係合方向に沿って形成され、第２突起部１３ａをスライド自在に収容する切欠き状のガイド溝１３ｂとからなる。第２突起部１３ａは、光コネクタ枠１０の両側リブ１０ａを内側に凸となるように台形状（あるいは山形状）に折り曲げて形成される。第２係合部１３では、第２突起部１３ａがガイド溝１３ｂにより上下方向の動きを規制されるため、レンズ枠５に対する光コネクタ枠１０の上下方向の動きを規制することになる。
【００４３】
レンズ枠５と光コネクタ枠１０との係合を解除するには、図９に示すように、光コネクタ枠１０の取手部１０ｄに形成された穴１０ｅにペンチなどの工具の先端を差し込み、両取手部１０ｄを内側に押し込むことで、光コネクタ枠１０の両側リブ１０ａを外側に拡げる。これにより、両係合部１２，１３にて係合が解除され、レンズブロック６からＭＴフェルール７を取り外すことができる。
【００４４】
［光モジュール］
本実施の形態は、光コネクタとレンズブロックの接続構造を備える光モジュールに適用できる。光モジュールとしては、光トランシーバや、光ファイバケーブルの端部に光電変換部と電気コネクタを一体化した光アクティブケーブルなどが挙げられる。
【００４５】
［本実施の形態の作用］
本実施の形態の作用を説明する。
【００４６】
本実施の形態に係る光コネクタとレンズブロックの接続構造１では、ＭＴフェルール７が光コネクタ枠１０に対して位置が固定されないので、レンズ枠５に対してレンズブロック６の位置が１つ１つ異なる場合であっても、レンズブロック６の位置に対応してＭＴフェルール７がレンズ枠５と光コネクタ枠１０とで囲まれた空間の中で自由に動くことが可能となる。これにより、レンズブロック６やＭＴフェルール７に不要な力が加わることがなくなる。よって、基板２に固定されたレンズ枠５にレンズブロック６を接着固定するという、光素子３とレンズブロック６間での光軸のずれが発生しにくい構造を採用できる。また、落下などによる衝撃が加わった場合でも、光素子３とレンズブロック６間、及びレンズブロック６とＭＴフェルール７間の両者で光軸がずれにくい、耐衝撃性の高い光コネクタとレンズブロックの接続構造１を実現できる。
【００４７】
また、光コネクタとレンズブロックの接続構造１では、レンズ枠５の両側リブ５ａと光コネクタ枠１０の両側リブ１０ａとを、係合方向に沿って形成された２箇所の係合部１２，１３で係合するようにしている。
【００４８】
これにより、レンズ枠５に対する光コネクタ枠１０の動きを、係合方向だけでなく上下方向にも規制することが可能となり、より強固にレンズブロック６とＭＴフェルール７とを接続することができる。また、レンズ枠５の両側リブ５ａと光コネクタ枠１０の両側リブ１０ａとを係合するため、ＭＴフェルール７やレンズブロック６の上方に突出する部材がなく、全体として小型な光コネクタとレンズブロックの接続構造１を実現できる。
【００４９】
さらに、光コネクタとレンズブロックの接続構造１では、光コネクタ枠１０の後リブ１０ｂに、光ファイバケーブル４を通すための切欠き１０ｃを形成しているため、レンズブロック６にＭＴフェルール７を装着した状態で光コネクタ枠１０を容易に取り付け・取り外しすることが可能となり、取り扱いが容易となる。
【００５０】
また、光コネクタとレンズブロックの接続構造１では、光コネクタ枠１０の後リブ１０ｂの両側部に２つの取手部１０ｄを形成し、両取手部１０ｄを内側に押し込むことで、光コネクタ枠１０の両側リブ１０ａを外側に拡げて、レンズ枠５と光コネクタ枠１０の係合を解除するようにしているため、レンズ枠５と光コネクタ枠１０の係合を容易に解除できる。
【００５１】
上記実施の形態では、光コネクタ枠１０の両側リブ１０ａの一端部を内側に略９０°折り曲げ加工して第１突起部１２ａを形成したが、図１０に示す光コネクタとレンズブロックの接続構造１００のように、第１突起部１２ａを、９０°を超える角度に折り曲げ加工してかぎ状に形成するようにしてもよい。これにより、第１突起部１２ａが係合孔１２ｂから外れ難くなり、第１係合部１２における係合をより強固にできる。
【００５２】
また、上記実施の形態では、レンズブロック６のＭＴフェルール接続面６ｂにピン９を形成する場合を説明したが、これに限らず、図１１に示す光コネクタとレンズブロックの接続構造１１１のように、レンズブロック６に対してＭＴフェルール７を位置決めするための位置決め用ピン１１２をレンズブロック６と別体に形成し、位置決め用ピン１１２を、レンズブロック６に形成された嵌合孔１１３と、ＭＴフェルール７に形成された嵌合孔７ｂの両者に嵌合させることで、レンズブロック６にＭＴフェルール７を装着するようにしてもよい。
【００５３】
この場合、位置決め用ピン１１２の長手方向中央部に拡径部１１２ａを形成し、この拡径部１１２ａにより、ＭＴフェルール７の先端面７ａとレンズブロック６のＭＴフェルール接続面６ｂとを所定の間隔で保持するようにすればよい。
【００５４】
上記実施の形態では、光コネクタ枠１０の両側リブ１０ａの一端部に第１突起部１２ａを形成すると共に、レンズ枠５の両側リブ５ａに係合孔１２ｂを形成して第１係合部１２としたが、これに限らず、光コネクタ枠１０の両側リブ１０ａの一端部に係合孔を形成すると共に、レンズ枠５の両側リブ５ａに第１突起部を形成して、第１係合部１２としてもよい。
【００５５】
同様に、上記実施の形態では、光コネクタ枠１０の両側リブ１０ａに第２突起部１３ａを形成すると共に、レンズ枠５の両側リブ５ａの他端部にガイド溝１３ｂを形成して第２係合部１３を形成したが、これに限らず、光コネクタ枠１０の両側リブ１０ａにガイド溝を形成すると共に、レンズ枠５の両側リブ５ａの他端部に第２突起部を形成して、第２係合部１３としてもよい。
【００５６】
このように、本発明は上記実施の形態に限定されるものではなく、本発明の趣旨を逸脱しない範囲で種々の変更を加え得ることは勿論である。
【符号の説明】
【００５７】
１  光コネクタとレンズブロックの接続構造
２  基板
３  光素子
４  光ファイバケーブル
５  レンズ枠
５ａ  側リブ
５ｂ  前リブ
６  レンズブロック
７  ＭＴフェルール
１０  光コネクタ枠
１０ａ  側リブ
１０ｂ  後リブ
１２  第１係合部
１３  第２係合部
【図１】
2011123429.tif 000003
【図２】
2011123429.tif 000004
【図３】
2011123429.tif 000005
【図４】
2011123429.tif 000006
【図５】
2011123429.tif 000007
【図６】
2011123429.tif 000008
【図７】
2011123429.tif 000009
【図８】
2011123429.tif 000010
【図９】
2011123429.tif 000011
【図１０】
2011123429.tif 000012
【図１１】
2011123429.tif 000013